(57)【特許請求の範囲】
【請求項１】
電界強度に応じてアンテナ入力のゲインを制御するＡＧＣ（オートゲインコントロール）回路を有するデジタル放送受信装置において、
受信されるデジタル放送信号のエラーレートを監視し、前記エラーレートが所定範囲内に入ったことを検出したときに、そのときの前記ＡＧＣ回路の出力であるＡＧＣ電圧をＡＧＣ判定値として記憶し、随時変化する前記ＡＧＣ電圧と前記記憶されたＡＧＣ判定値とを比較することによって前記デジタル放送信号が受信可能か否かを判断する受信状態判断手段を備えること、を特徴とするデジタル放送受信装置。
【請求項２】
前記受信状態判断手段は、前記エラーレートが前記所定範囲内に入った時の複数のＡＧＣ電圧の平均値を演算し、該平均値を前記ＡＧＣ判定値として記憶することを特徴とする請求項１に記載のデジタル放送受信装置。
【請求項３】
映像又は音声を主放送として提供するデジタル放送を受信する為のデジタル放送受信装置であって、
電界強度に応じてアンテナ入力のゲインを制御するＡＧＣ（オートゲインコントロール）回路と、
受信されるデジタル放送信号から前記映像又は音声に関するデータを復号するデコーダと、前記デコーダからエラー情報を得てエラーレートを算出するマイクロコントローラと、を備え、
前記マイクロコントローラは、さらに、初期電源投入時、前記エラーレートを監視し、前記エラーレートが所定範囲内に入ったことを検出したとき、そのときの前記ＡＧＣ回路の出力であるＡＧＣ電圧をＡＧＣ判定値として記憶すると共に、前記ＡＧＣ判定値が記憶されたことを示すフラグをセットすることにより、以後は、前記エラーレートが前記所定範囲内に入ることの検出は行わず、随時変化する前記ＡＧＣ電圧と前記記憶されたＡＧＣ判定値とを比較することによって前記デジタル放送信号が受信可能か否かを判断すること、を特徴とするデジタル放送受信装置。
【請求項４】
前記マイクロコントローラは、前記エラーレートが前記所定範囲内に入った時の複数のＡＧＣ電圧の平均値を演算し、該平均値を前記ＡＧＣ判定値として記憶することを特徴とする請求項３に記載のデジタル放送受信装置。
【請求項５】
電界強度に応じてアンテナ入力のゲインを制御するＡＧＣ（オートゲインコントロール）回路を有し、周波数シーク動作又は番組追従動作を実行可能なデジタル放送受信装置において、
受信されるデジタル放送信号のエラーレートを監視し、前記エラーレートが所定範囲内に入ったことを検出したときに、そのときの前記ＡＧＣ回路の出力であるＡＧＣ電圧をＡＧＣ判定値として記憶し、前記周波数シーク動作時又は番組追従動作時に、随時変化する前記ＡＧＣ電圧と前記記憶されたＡＧＣ判定値とを比較することによって前記デジタル放送信号が受信可能か否かを判断する受信状態判断手段を備えること、を特徴とするデジタル放送受信装置。
【発明の詳細な説明】
【０００１】
【発明の属する技術分野】
本発明は、デジタル放送の受信装置に関し、より詳細にはＡＧＣ電圧による受信状態の判断に関する。
【０００２】
【従来の技術】
ＤＡＢ（Digital Audio Broadcasting）などのデジタル放送の受信装置は、一般的に、アンテナからのＲＦ信号の高周波増幅、ＲＦ信号から中間周波数のＩＦ信号への変換、及び受信電界強度に応じてアンテナ入力のゲインを制御するＡＧＣ（オートゲインコントロール）などを行うチューナー部と、ＩＦ信号に基づいて復号処理などを実行するデコーダ部と、デコーダ部その他の受信装置の全体的な制御を司るマイクロコントローラとを主要な構成要素として備えている。ＡＧＣ回路からの出力であるＡＧＣ電圧は、ＡＧＣの制御状態に対応しており、マイクロコントローラはこのＡＧＣ電圧と予め設定された固定のＡＧＣ判定値とを比較することで、受信状態を判断することができる。このような受信状態の判断は、マイクロコントローラによる周波数シーク動作、番組追従動作などの際に、適宜行われる。
【０００３】
ＡＧＣ電圧は、チューナー部において発生されるいわゆるハードウェア情報である為、デコーダ部が動作することによって得られるＢＥＲ（ビットエラーレート）やＡＦＣ（自動周波数制御）情報などのいわゆるソフトウェア情報よりも素早く得られる。したがって、マイクロコンローラは、ＡＧＣ電圧を用いることにより、ＢＥＲやＡＦＣなどのソフトウェア情報を用いる場合よりも迅速に受信状態の判断を行うことができ、周波数シーク動作の高速化及び番組追従動作の応答性の高速化を図ることができる。
【０００４】
【発明が解決しようとする課題】
しかしながらハードウェア情報であるＡＧＣ電圧は、受信装置のセット毎にばらつきを生じることがある。ＡＧＣ電圧がセット毎にばらついていると、マイクロコントローラが用いるＡＧＣ判定値は各セットで同一の値が用いられる為、受信状態の判断が正しく行われない場合もあり得る。つまり、従来のデジタル放送受信装置におけるＡＧＣ電圧による受信状態の判断は、セット毎のＡＧＣ電圧のばらつきを要因とする不安定・不正確性を伴っていることになる。セット毎のＡＧＣ電圧のばらつきを生産ラインで検査し調整することは可能ではあるものの、このことは生産工数の増加を招く。
【０００５】
本発明はこのような事情に鑑みてなされた。すなわち、本発明は、ＡＧＣ電圧の判定値を自ら調整する機能を持ち、セット毎のＡＧＣ電圧のばらつきを要因とする、ＡＧＣ電圧による受信状態の判断の不安定・不確実性を解消することのできるデジタル放送受信装置を提供することを目的とする。
【０００６】
【課題を解決するための手段】
そのため請求項１に記載の発明は、電界強度に応じてアンテナ入力のゲインを制御するＡＧＣ（オートゲインコントロール）回路を有するデジタル放送受信装置において、受信されるデジタル放送信号のエラーレートを監視し、エラーレートが所定範囲内に入ったことを検出したときに、そのときのＡＧＣ回路の出力であるＡＧＣ電圧をＡＧＣ判定値として記憶し、随時変化するＡＧＣ電圧と、記憶されたＡＧＣ判定値とを比較して受信状態の判断を行う受信状態判断手段を備える。エラーレートは受信状態と対応しており、エラーレートが所定範囲に入ったときのＡＧＣ電圧をＡＧＣ判定値として記憶して用いれば、たとえセット毎にＡＧＣ電圧にばらつきがある場合であっても、記憶されるＡＧＣ判定値はそれぞれの受信装置における受信状態に正しく対応することになる。したがって、記憶されたＡＧＣ判定値を用いることで、装置毎のＡＧＣ電圧のばらつきによる受信状態の判断への影響は解消されることになる。
【０００７】
請求項２に記載の発明は、映像又は音声を主放送として提供するデジタル放送を受信する為のデジタル放送受信装置であって、電界強度に応じてアンテナ入力のゲインを制御するＡＧＣ（オートゲインコントロール）回路と、受信されるデジタル放送信号から映像又は音声に関するデータを復号するデコーダと、デコーダからエラー情報を得てエラーレートを算出するマイクロコントローラと、を備えている。この場合において、マイクロコントローラは、初期電源投入時、エラーレートを監視し、エラーレートが所定範囲内に入ったことを検出したとき、そのときのＡＧＣ回路の出力であるＡＧＣ電圧をＡＧＣ判定値として記憶すると共に、ＡＧＣ判定値が記憶されたことを示すフラグをセットすることにより、以後は、エラーレートが所定範囲内に入ることの検出は行わず、随時変化するＡＧＣ電圧と、記憶されたＡＧＣ判定値とを比較して受信状態の判断を行う。エラーレートは受信状態と対応しており、エラーレートが所定範囲に入ったときのＡＧＣ電圧をＡＧＣ判定値として記憶して用いれば、たとえセット毎にＡＧＣ電圧にばらつきがある場合であっても、記憶されるＡＧＣ判定値はそれぞれの受信装置における受信状態に正しく対応することになる。マイクロコントローラは、装置の初期電源投入時にエラーレートを監視してＡＧＣ判定値の記憶を行い、以後は、それぞれの受信装置における受信状態に正しく対応したＡＧＣ判定値を用いて、受信状態の判断を実行する。
【０００８】
デジタル放送受信装置が、さらに、マイクロコントローラに接続された操作部を備える場合には、マイクロコントローラは、さらに、操作部を介して所定の操作が行われたことを検出した場合、エラーレートを監視しエラーレートが所定範囲内に入ったことを検出したとき、そのときのＡＧＣ回路の出力であるＡＧＣ電圧をＡＧＣ判定値として記憶する構成であっても良い（請求項３）。この場合、操作部を操作することによっても、ＡＧＣ判定値の更新を実行させることができる。
【０００９】
また、マイクロコントローラは、ＡＧＣ判定値として予め設定された初期値を有し、エラーレートを監視しエラーレートが所定範囲内に入ったことを検出したときのＡＧＣ電圧を、初期値と入れ換えて記憶する様に構成されていても良い（請求項４）。すなわち、マイクロコントローラは、ＡＧＣ判定値としてデフォルト値を有し、初期電源投入時又は所定の操作が行われたときに、ＡＧＣ判定値の更新を行う。
【００１０】
所定範囲は、受信限界に対応するエラーレート値を含むものであることが好ましい（請求項５）。この場合、ＡＧＣ電圧と、記憶されたＡＧＣ判定値とを比較することで、受信可能状態であるか受信不可能状態であるかを判断することができる。
【００１１】
【発明の実施の形態】
図１は本発明の実施形態としてのＤＡＢ放送を受信する放送受信装置１０の構成を表すブロック図である。放送受信装置１０は、主な構成部分としてＤＡＢチューナー１、ＤＡＢデコーダ３、及びマイコン５を持つ。ＤＡＢチューナー１は、アンテナから入力されるＲＦ信号の高周波増幅、ＲＦ信号から中間周波数のＩＦ信号への変換、及びＡＧＣ（オートゲインコントロール）などを行う。ＤＡＢデコーダ３は、マイコン５による制御の下、ＤＡＢチューナー１からの信号を復号処理し、ＤＡＢの音声データ等の抽出を行う。抽出された音声データは、ＤＡＢデコーダ３からオーディオ信号として出力される。
【００１２】
マイコン５は、指定のチャンネルについての周波数シーク動作、番組対追従動作など、放送受信装置１０の様々な機能を司るマイクロコントローラである。マイコン５は、ＤＡＢデコーダ３からのエラー情報を下にＢＥＲ（ビットエラーレート）を常に演算し、また、ＤＡＢデコーダ３で実行されるＡＦＣ（自動周波数制御）の収束状態に関するＡＦＣ情報も取得することができる。ＤＡＢチューナー１内のＡＧＣ回路の出力であるＡＧＣ電圧もまた、マイコン５に提供されており、マイコン５はこのＡＧＣ電圧をＡＤ変換して受信状態の判断に用いている。この受信状態の判断は、周波数シーク動作、番組対追従動作などを行う際に適宜行われる。
【００１３】
マイコン５は、ＤＡＢチューナー１から入力されるＡＧＣ電圧と比較し受信状態を判断する為の判定値としてのＡＧＣ判定値を記憶することができる。このＡＧＣ判定値は、図３を参照して後述するように、マイコン５において初期電源投入時に、ＢＥＲがほぼ受信限界値になっているときのＡＧＣ電圧で更新される。マイコン５は、この更新されたＡＧＣ判定値を用いることによって、放送受信装置のセット毎のＡＧＣ電圧のばらつきによる受信状態の判断への影響を解消できるように構成されている。
【００１４】
ＡＧＣ電圧がセット毎に異なっている状況は、図２に示すＢＥＲとＡＧＣ電圧を対応付けるグラフで説明される。図２には、２つの放送受信装置Ａ及びＢについての、ＢＥＲとＡＧＣ電圧の関係を表すグラフが示されている。なお、ＢＥＲは、放送受信装置の設計段階で、どの値で受信不可能となるかを正確に決めることのできる指標であり、受信不可能となる値がセット毎にばらつくような性質は持っていないことに注目する必要がある。図２では、一例として、受信限界ＢＥＲが2.0×E-2である場合を示している。つまり、ＢＥＲが2.0×E-2より小さい場合は受信可能状態であり、ＢＥＲが2.0×E-2以上である場合は、受信不可能状態である。
【００１５】
図２に示されるように、放送受信装置Ａでは受信限界ＢＥＲに対応するＡＧＣ電圧は３．５Ｖとなっており、よって放送受信装置Ａは、ＡＧＣ電圧が３．５Ｖ以上のとき受信不可能状態にあり、ＡＧＣ電圧が３．５Ｖより小さいとき受信可能状態にある。一方、放送受信装置Ｂでは、受信限界ＢＥＲに対応するＡＧＣ電圧は３．０Ｖとなっており、よって放送受信装置Ａは、ＡＧＣ電圧が３．０Ｖ以上のとき受信不可能状態にあり、ＡＧＣ電圧が３．０Ｖより小さいとき受信可能状態にある。したがって、それぞれの放送受信装置で正しく受信状態の判断を行う為には、放送受信装置Ａでは、ＡＧＣ判定値は３．５Ｖに設定され、放送受信装置Ｂでは、ＡＧＣ判定値は３．０Ｖに設定されなければならない。このことを達成するた為の、ＡＧＣ判定値の更新処理を示すのが図３のフローチャートである。
【００１６】
図３のフローチャートでは、受信限界ＢＥＲ（図２の場合の2.0×E-2）をBER_Aと表している。また、図３では、初期電源投入時に暫定値として設定されるＡＧＣ判定値をAGC_Aとし、図３の処理によって新たに設定されるＡＧＣ判定値をAGC_Bと表している。更新フラグＳは、ＡＧＣ判定値が既に更新されているか否かを示すフラグである。なお、図３の更新処理は、マイコン５による制御の下で、初期電源投入時に、メイン処理に対するサブルーチンとして実行されるものとする。
【００１７】
ＤＡＢ放送の受信中に図３の更新処理が起動されると、始めにステップＳ１において、図３の更新処理によってＡＧＣ判定値が既に暫定値AGC_Aから更新されているか否かが判定される。ＡＧＣ判定値が既に更新されており更新フラグＳがＯＮにセットされていているときは（Ｓ１：ＯＮ）、本処理は終了する。ＡＧＣ判定値がまだ更新されておらず更新フラグＳがＯＦＦであるときは（Ｓ１：ＯＦＦ）、処理はステップＳ２に進む。
【００１８】
ステップＳ２で、現在の受信データのＢＥＲ（受信ＢＥＲ）が、受信限界ＢＥＲ（BER_A）から一定の範囲内（（BER_A）±α）に入るまで待たれる。受信データのＢＥＲが、（BER_A）±αの範囲に入ると（Ｓ２：ＹＥＳ）、ステップＳ３では、そのときのＤＡＢチューナー１からのＡＧＣ電圧が取り込まれ、取り込まれたＡＧＣ電圧（AGC_B）によって暫定のＡＧＣ判定値（AGC_A）が更新される。例えば、ＢＥＲが図４（ａ）に示すように変化しており、このときのＡＧＣ電圧が図４（ｂ）に示すように変化している場合には、ＢＥＲが（BER_A）±αの間に入る時間ｔ１におけるＡＧＣ電圧（AGC_B）が更新の為の値として用いられる。また、ステップＳ３では、更新フラグＳがＯＮにセットされる。ステップＳ３の後、本処理は終了する。
【００１９】
このように、図３に示す更新処理を行うことで、各放送受信装置において、ＡＧＣ判定値を実際の受信限界に対応するＡＧＣ電圧値に設定することができる。図２の例でいえば、図３に示す更新処理を行うことで、放送受信装置Ａでは、ＡＧＣ判定値は３．５Ｖに設定され、放送受信装置ＢではＡＧＣ判定値は３．０Ｖに設定することができる。したがって、図３に示すＡＧＣ判定値の更新処理によれば、放送受信装置の初期電源投入時にＡＧＣ判定値が適切な値に更新され、後は更新された適切なＡＧＣ判定値が受信状態の判断の為に用いられることになる。
【００２０】
なお、図３に示す更新処理の変形として、放送受信装置１０の操作部（不図示）を操作することによってマニュアルでＡＧＣ判定値の更新処理が起動されるようにしても良い。また、図３に示すＡＧＣ判定値の更新処理では、一度でもＢＥＲが（BER_A）±αの範囲に入るとそのときのＡＧＣ電圧をＡＧＣ判定値としているが、ＢＥＲが（BER_A）±αの範囲に入ることの検出を複数回行って更新の為のＡＧＣ電圧を複数個取得し、それらの平均値をＡＧＣ判定値とすることもできる。
【００２１】
また、例えば、図３の更新処理においてＢＥＲが受信限界近辺となりＡＧＣ判定値を更新すべきであると判定される場合であっても、デコーダ部３から得られるＡＦＣ情報からは受信限界にはないと判定される場合には、ＡＧＣ判定値の更新を行わないようにすることで、図３に示すＡＧＣ判定値の更新処理にＡＦＣ情報を加味する構成とすることもできる。
【００２２】
【発明の効果】
以上説明したように本発明によれば、たとえセット毎にＡＧＣ電圧がばらつく場合であっても、ＡＧＣ判定値を、装置固有の受信限界のＡＧＣ電圧値に自動的に調整することができる。従来のように放送受信装置毎のＡＧＣ電圧のばらつきを解消する為に、生産工程におけるばらつきの管理やデバイスの精度向上を図る為の生産工数をかける必要は一切無い。したがって、たとえＡＧＣ電圧がセット毎にばらついても、ＡＧＣ電圧を用いての受信状態の判断における不安定・不確実性を確実に解消した上で、周波数シーク動作、番組追従動作などを迅速に実行することができる。
【図面の簡単な説明】
【図１】本発明の実施形態としての放送受信装置の構成を表すブロック図である。
【図２】ＡＧＣ電圧のばらつきがある場合の、２つの放送受信装置についてのＢＥＲとＡＧＣ電圧の関係を表すグラフである。
【図３】図１の放送受信装置で実行されるＡＧＣ判定値の更新処理を表すフローチャートである。
【図４】ＢＥＲとＡＧＣ電圧の変化の一例を示すグラフである。
【符号の説明】
１  ＤＡＢチューナー
３  ＤＡＢデコーダ
５  マイコン５
１０  放送受信装置
【図１】
0004698905.tif 000002
【図２】
0004698905.tif 000003
【図３】
0004698905.tif 000004
【図４】
0004698905.tif 000005